(57)【要約】【課題】良好な防塵性を確保しつつ構造の複雑化によるコストアップを招くことなくテープ引出用開口部の円滑な開閉が可能な磁気テープカートリッジを提供する。【解決手段】カートリッジケース１１の一側面１１ａに形成したテープ引出用開口部１３からケース１１内の磁気テープが引き出される磁気テープカートリッジ１００であって、テープ引出用開口部１３は、このテープ引出用開口部１３が形成されたケースの一側面１１ａに対して平行で且つ回動自在に支持されると共に、付勢手段２１によってテープ引出用開口部１３を閉鎖する回動方向へ付勢された回動シャッタ１５，１７によって開閉されるようにした。【選択図】　　　図２
2004103155.tif 000002
【特許請求の範囲】
【請求項１】
ケースの一側面に形成したテープ引出用開口部からケース内の磁気テープが引き出される磁気テープカートリッジであって、
前記テープ引出用開口部は、このテープ引出用開口部が形成されたケースの一側面に対して平行で且つ回動自在に支持されると共に、付勢手段によって前記テープ引出用開口部を閉鎖する回動方向へ付勢された回動シャッタによって開閉されることを特徴とする磁気テープカートリッジ。
【発明の詳細な説明】
【０００１】
【発明の属する技術分野】
本発明は、磁気テープカートリッジに関し、特に磁気テープの引き出し用のシャッタの構造に関する。
【０００２】
【従来の技術】
従来より、コンピュータ等の外部記録装置に用いられる磁気磁気テープカートリッジは、カートリッジケース内に磁気テープを巻装するリールを有しており、記録再生装置に装填した状態で、カートリッジケースの一部に形成したテープ引出用開口部から、記録再生装置側のテープ引き出し機構が磁気テープの端部を引き出し、リールに巻装された磁気テープを記録再生装置内に引き込み、データの書き込みや読み取りが行われる。
このような磁気テープカートリッジには、テープ引出用開口部からの塵埃の侵入を防ぐために、記録再生装置への装填時に装置側の開閉機構によって引き開けられる開閉ドアをテープ引出用開口部の一側部に回動自在に設けたもの、あるいは磁気テープの端部に、テープ引出用開口部を覆うリーダーブロックを設け、磁気テープカートリッジの不使用時にはリーダーブロックによってテープ引出用開口部を閉鎖する構造のもの等がある。
【０００３】
ところが、上記の開閉ドアを引き開けてテープ引出用開口部を開口させる磁気テープカートリッジでは、装置側に開閉ドアを引き開けるためのスペースが必要であり、また、リーダーブロックによりテープ引出用開口部を塞ぐ磁気テープカートリッジでは、リーダーブロックとテープ引出用開口部との隙間からカートリッジケース内に塵埃が入り込み易い。
【０００４】
このため、テープ引出用開口部に記録再生装置への挿入方向に対して平行に摺動可能なスライドドアを設け、このスライドドアをバネ部材によって常にテープ引出用開口部を閉鎖する方向に付勢し、不使用時にスライドドアによってテープ引出用開口部を閉鎖する構造のものもある。そして、このような磁気テープカートリッジでは、記録再生装置に装填される際に、記録再生装置側の部材がスライドドアの前端面に当接し、スライドドアがバネ部材の付勢力に抗して開口される（例えば、特許文献１参照）。
【０００５】
【特許文献１】
特開２０００−２１１２７号公報（第６頁、図１〜図３）
【０００６】
【発明が解決しようとする課題】
しかしながら、上記スライドドアを設けた磁気テープカートリッジにあっては、スライドドアの開口時におけるスライド量が大きいので、テープ引出用開口部を確実に閉鎖して塵埃の侵入を防止しつつスライドドアの円滑な開閉動作を確保するために、複雑な構造の付勢手段が必要となり、その結果、コストアップを招いてしまうという問題があった。
【０００７】
本発明は、上記事情に鑑みてなされたもので、良好な防塵性を確保しつつ構造の複雑化によるコストアップを招くことなくテープ引出用開口部の円滑な開閉が可能な磁気テープカートリッジを提供することを目的とする。
【０００８】
【課題を解決するための手段】
上記目的達成のため、本発明に係る請求項１記載の磁気テープカートリッジは、ケースの一側面に形成したテープ引出用開口部からケース内の磁気テープが引き出される磁気テープカートリッジであって、前記テープ引出用開口部は、このテープ引出用開口部が形成されたケースの一側面に対して平行で且つ回動自在に支持されると共に、付勢手段によって前記テープ引出用開口部を閉鎖する回動方向へ付勢された回動シャッタによって開閉されることを特徴とする。
【０００９】
このように、テープ引出用開口部が形成されたケースの一側面に対して平行で且つ回動可能に支持された回動シャッタによってテープ引出用開口部を開閉させる構造としたので、複雑な付勢手段を設けることなく、良好な防塵性を確保しつつテープ引出用開口部の円滑な開閉動作を確保することができ、また、構造の簡略化によるコストダウンを図ることができる。
【００１０】
さらに具体的には、回動シャッタを扇形のシャッタとして、該扇形の円弧に対する中心角位置を回動中心として前記ケースに支持される構成にすることができる。この構成によれば、回動シャッタの回動動作により、効率よく大きな開口面積を稼ぐことができる。
【００１１】
前記回動シャッタは、テープ引出用開口部の閉鎖状態におけるカートリッジケース表面側の円弧近傍の下端に係止突起を有した構成にすることができる。この構成によれば、係止突起を直線移動操作することで回動シャッタを開閉することができると共に、その直線移動操作量が短いものとなる。また、この磁気テープカートリッジを記録再生装置へ装填する際に、磁気テープカートリッジを記録再生装置に対して相対移動させることで、係止突起を持ち上げる等して、回動シャッタを開口させることができる。つまり、磁気テープカートリッジの記録再生装置への装填動作に従動して回動シャッタが開口するので、複雑な開閉手段を別途設けることなく簡単に回動シャッタを開閉動作させることができる。
【００１２】
さらに、前記回動シャッタとして、２枚の扇形の回動シャッタを、該回動シャッタの厚み方向に一部を重ね合わせて設け、各扇形の回動シャッタを同時に開閉させる構成とすることができる。この構造によれば、２枚の回動シャッタを同時に開口させることでより大きな開口面積にできる。
【００１３】
【発明の実施の形態】
以下、本発明に係る磁気テープカートリッジの好適な実施の形態について、図面を参照して詳細に説明する。
なお、本実施形態では、磁気テープカートリッジとして、コンピュータに用いられる外部記録装置等の記録再生装置に装填される磁気テープテープカートリッジを一例に説明する。
図１は磁気テープカートリッジの外観を示す概略斜視図、図２は磁気テープカートリッジのテープ引出用開口部を示す拡大斜視図である。
図１及び図２に示すように、磁気テープカートリッジ１００は、カートリッジケース１１の一側面１１ａに、テープ引出用開口部１３を有している。このテープ引出用開口部１３は、それぞれ扇形に形成された一対の回動シャッタ１５、１７を、前記一側面１１ａに対して平行にして備えており、カートリッジケース１１の一側面１１ａの裏面から、回動シャッタ１５、回動シャッタ１７の順にその一部が重なるように配置されている。つまり、２枚の扇形の回動シャッタを、該回動シャッタの厚み方向に一部を重ね合わせて設けた構成としている。
【００１４】
テープ引出用開口部１３は、その上部が、回動シャッタ１５、１７の円弧状の縁部に沿う形状に形成され、これにより、テープ引出用開口部１３は、回動シャッタ１５、１７によって完全に閉鎖される。
【００１５】
ここで、図３にカートリッジケースの裏面側から視た回動シャッタを示す斜視図、図４にカートリッジケースの裏面側から視た回動シャッタを取り外した状態のテープ引出用開口部を示す斜視図を示した。
図３及び図４に示すように、回動シャッタ１５、１７は、その円弧に対する中心角位置に孔部１５ａ、１７ａを有しており、これら孔部１５ａ、１７ａには、カートリッジケース１１の一側面１１ａの裏面におけるテープ引出用開口部１３の下方側のそれぞれの角部に形成された支持軸部１９に挿通されている。これにより、それぞれの回動シャッタ１５、１７は、支持軸部１９を中心とし、カートリッジケース１１の一側面１１ａの裏面に沿って回動自在に支持されている。
【００１６】
支持軸部１９には、コイルバネ２１が装着されており、これらコイルバネ２１両端の付勢端２１ａは、回動シャッタ１５、１７の裏面に形成された係止片部１５ｂ、１７ｂ及びカートリッジケース１１の一側面１１ａの裏面に形成されたバネ係止用突起２３にそれぞれ係止している。そして、このコイルバネ２１は、それぞれの回動シャッタ１５、１７を、図２の矢印Ａ，Ｂ方向へ向けて付勢している。
【００１７】
回動シャッタ１５、１７は、テープ引出用開口部１３の閉鎖状態におけるカートリッジケース１１表面側の円弧近傍の下端に係止突起１５ｃ、１７ｃを有している。これら係止突起１５ｃ、１７ｃは、テープ引出用開口部１３の下端縁部に係止され、回動シャッタ１５、１７の図２における矢印Ａ，Ｂ方向への回動を規制しており、これら回動シャッタ１５、１７を、テープ引出用開口部１３を閉鎖する位置に配置している。なお、回動シャッタ１７は回動シャッタ１５に対してカートリッジケース１１の内側に配置されているので、回動シャッタ１７の係止突起１７ｃは、回動シャッタ１５の下方に配置されている。
【００１８】
テープ引出用開口部１３の下端縁部及び上端における隅部には、それぞれ収容凹部２５、２７が形成され、これら収容凹部２５、２７に、係止突起１５ｃ、１７ｃが入り込む。
【００１９】
一方、上記磁気テープカートリッジ１００の装填される記録再生装置側は、図５に示すように、シャッタ開閉用片３１を有し、記録再生装置の図示しないカートリッジ装填口へ磁気テープカートリッジ１００を挿入すると、シャッタ開閉用片３１が回動シャッタ１５、１７の係止突起１５ｃ、１７ｃの下方に配置される。
そして、カートリッジ装填口へ挿入した磁気テープカートリッジ１００は、記録再生装置内で下方へ移動し、これにより、回動シャッタ１５、１７の係止突起１５ｃ、１７ｃがシャッタ開閉用片３１によって相対的に持ち上げられる。
【００２０】
このときの回動シャッタ１５、１７の動作について図６を用いて説明する。
図６は、回動シャッタの動作を移動段階毎に示すテープ引出用開口部の拡大正面図、及びシャッタ開閉用片との位置関係を示すカートリッジケース側方の正面図である。
まず、図６（ａ１），（ａ２）に示すように、係止突起１５ｃ、１７ｃの下方にシャッタ開閉用片３１が配置された状態から磁気テープカートリッジ１００が下方へ移動すると、図６（ｂ１），（ｂ２）に示すように、係止突起１７ｃがシャッタ開閉用片３１によって相対的に持ち上げられ、回動シャッタ１５、１７がコイルバネ２１の付勢力に抗して図２中の矢印Ａ，Ｂの逆方向へ回動し、テープ引出用開口部１３が次第に開口される。なお、このとき、回動シャッタ１５は、シャッタ開閉用片３１によって持ち上げられる係止突起１７ｃによって回動される。
【００２１】
係止突起１７ｃが回動シャッタ１５の下端から外れ、係止突起１５ｃ、１７ｃが離間した後は、図６（ｃ１），（ｃ２）に示すように、それぞれの係止突起１５ｃ、１７ｃがシャッタ開閉用片３１によって持ち上げられ、それぞれの回動シャッタ１５、１７が回動されてテープ引出用開口部１３が開口される。
さらに、磁気テープカートリッジ１００が下方へ移動すると、図６（ｄ１），（ｄ２）に示すように、それぞれの係止突起１５ｃ、１７ｃがテープ引出用開口部１３の上端における隅部に形成された収容凹部２７に収容され、テープ引出用開口部１３が完全に開口される。
そして、このように、テープ引出用開口部１３を開口させることにより、記録再生装置側のテープ引き出し機構によって、カートリッジケース１１内のリールに巻装した磁気テープの端部を引き出し、データの書き込み、読み取りを行うことができる。
【００２２】
磁気テープカートリッジ１００を記録再生装置から取り出す際には、磁気テープカートリッジ１００が上方へ移動し、テープ引出用開口部１３は、磁気テープカートリッジ１００の記録再生装置への装填時とは逆に、磁気テープカートリッジ１００に対してシャッタ開閉用片３１が下方へ相対移動する。
これにより、回動シャッタ１５、１７はコイルバネ２１の付勢力により図２の矢印Ａ，Ｂ方向へ回動し、テープ引出用開口部１３は次第に閉鎖される。
【００２３】
ここで、回動シャッタ１５、１７によりテープ引出用開口部１３が閉鎖される途中に、係止突起１５ｃ、１７ｃが当接するが、回動シャッタ１５の係止突起１５ｃの表面は、滑らかな曲面で形成されているため、係止突起１７ｃを回動シャッタ１５の下方に確実に入り込ませることができる。
その後、係止突起１５ｃ、１７ｃからシャッタ開閉用片３１が離れると、係止突起１５ｃ、１７ｃはコイルバネ２１の付勢力により収容凹部２５に入り込んで、テープ引出用開口部１３の下端に係止されて、回動シャッタ１５、１７の回動を規制する。これにより、テープ引出用開口部１３が回動シャッタ１５、１７によって完全に閉鎖される。
【００２４】
以上のように、上記の磁気テープカートリッジ１００によれば、テープ引出用開口部１３が形成されたカートリッジケース１１の一側面１１ａに沿って回動自在に支持した回動シャッタ１５、１７によってテープ引出用開口部１３を開閉させる構造としたので、回動シャッタ１５、１７開閉のための各係止突起１５ｃ、１７ｃの直線移動操作量を短くすることができ、複雑な付勢手段を設けることなく、防塵性を確保しつつテープ引出用開口部１３の円滑な開閉動作を確保することができると共に、構造の簡略化によるコストダウンを図ることができる。
【００２５】
なお、上記の例では、テープ引出用開口部１３を開閉させる２枚の回動シャッタ１５、１７を設けたが、この回動シャッタは２枚に限定されることはなく、例えば、１枚或いは３枚以上の回動シャッタによってテープ引出用開口部１３を開閉させるようにしてもよい。さらに、回動シャッタを図７に示すように、略扇形の形状としてもよい。即ち、円弧部を正方形の１つの角部に形成して、正方形の１／４程度の領域が扇形となるシャッタ形状としてもよい。このような形状とすることで、より大きな開口を確保することができる。
また、磁気テープカートリッジ１００を記録再生装置に装填する際に、磁気テープカートリッジ１００を昇降させてシャッタ開閉用片３１によって係止突起１５ｃ、１７ｃを係止させたが、シャッタ開閉用片３１自体を上下移動させて係止突起１５ｃ、１７ｃを係止させてもよい。
【００２６】
【発明の効果】
以上説明したように、本発明の磁気テープカートリッジによれば、テープ引出用開口部が形成されたケースの一側面に沿って回動可能に支持した回動シャッタによってテープ引出用開口部を開閉させる構造としたので、回動シャッタ開閉のための直線移動操作量を短くすることができ、複雑な付勢手段を設けることなく、防塵性を確保しつつテープ引出用開口部の円滑な開閉動作を確保することができると共に、構造の簡略化によるコストダウンを図ることができる。
【図面の簡単な説明】
【図１】本発明の磁気テープカートリッジの外観を示す概略斜視図である。
【図２】磁気テープカートリッジのテープ引出用開口部を示す拡大斜視図である。
【図３】カートリッジケースの裏面側から視た回動シャッタを示す斜視図である。
【図４】カートリッジケースの裏面側から視た回動シャッタを取り外した状態のテープ引出用開口部を示す斜視図である。
【図５】記録再生装置内における磁気テープカートリッジの動きを示す磁気テープカートリッジの側面図である。
【図６】回動シャッタの動作を移動段階毎に示すテープ引出用開口部の拡大正面図、及びシャッタ開閉用片との位置関係を示すカートリッジケース側方の正面図である。
【符号の説明】
１１　カートリッジケース（ケース）
１１ａ　一側面
１３　テープ引出用開口部
１５，１７　回動シャッタ
２１　コイルバネ（付勢手段）
１００　磁気テープカートリッジ
【図１】
2004103155.tif 000003
【図２】
2004103155.tif 000004
【図３】
2004103155.tif 000005
【図４】
2004103155.tif 000006
【図５】
2004103155.tif 000007
【図６】
2004103155.tif 000008